(57)【特許請求の範囲】
【請求項１】
開口部と底部を有するテンショナカップと、
前記底部に一端が係合し、前記開口部に近接した部位に他端が位置するコイルバネと、
前記開口部を覆う蓋部を有し、前記蓋部から前記テンショナカップの外方に延びるアーム部に前記テンショナプーリが回転自在に取付けられ、前記テンショナカップに揺動自在に支持されるテンショナアームと、
前記蓋部のコイルバネの他端に対応する位置に形成された突起と、
前記開口部の内壁面に沿う円弧状を有し、前記突起に端部が当接するように設けられ、前記コイルバネの他端に付勢されて前記内壁面に押圧される一対の減衰ユニットとを備え、
前記突起の前記減衰ユニットの外周面に対応した部位に、前記底部に向かって延びる外側壁が形成されるとともに、前記突起の前記減衰ユニットの内周面に対応した部位に、前記底部に向かって延びる内側壁が形成され、前記外側壁と内側壁の間隔が前記減衰ユニットの前記突起に当接する端面の幅よりも小さい
ことを特徴とするテンショナ。
【請求項２】
前記外側壁の高さが前記内側壁の高さよりも大きいことを特徴とする請求項１に記載のテンショナ。
【請求項３】
前記外側壁と前記内側壁の間隔が前記コイルバネの太さよりも大きいことを特徴とする請求項１に記載のテンショナ。
【発明の詳細な説明】
【技術分野】
【０００１】
本発明は、例えば自動車の多軸補機駆動ベルトシステムに設けられ、エンジンの補機を駆動する無端ベルトに張力を付与するためのテンショナに関する。
【背景技術】
【０００２】
従来テンショナにおいて、テンショナアームの蓋部が揺動自在に取付けられたテンショナカップの中には、無端ベルトに張力を付与するためのコイルバネと、無端ベルトの張力変動によるテンショナアームの揺動を減衰させるための減衰ユニットとが設けられている（例えば特許文献１）。減衰ユニットは、テンショナアームの蓋部に形成された突起を支点として回転変位し、テンショナカップの内壁面に摺接して減衰作用を発揮する。減衰ユニットが減衰作用を正常に発揮するために、減衰ユニットはテンショナアームの突起に正常に係合していなければならない。したがってテンショナの組立て作業は、テンショナカップ内において減衰ユニットが突起に対して所定の位置関係になるように行われる。
【先行技術文献】
【特許文献】
【０００３】
【特許文献１】特表２０１３−５１５２２５号公報
【発明の概要】
【発明が解決しようとする課題】
【０００４】
例えば、テンショナカップに外部から異物が侵入するのを防止するために、テンショナカップあるいはテンショナアームの蓋部にラビリンスが設けられることがある。しかし、このラビリンスはテンショナの組立て作業において、テンショナアームの蓋部とテンショナカップの間の隙間を塞ぎ、減衰ユニットの位置が観察しにくくなるという問題を発生する。したがって従来、減衰ユニットが突起に乗り上げた状態でテンショナが組立てられる可能性があり、テンショナの組立て後の性能検査において初めて組立て不良が発見されることとなり、このような場合、テンショナを分解して組立てなおす必要があり、作業効率が悪かった。
【０００５】
本発明は、ラビリンスの有無とは関係なく、常に減衰ユニットが正常な位置に定められている状態で組立てることのできるテンショナを提供することを目的としている。
【課題を解決するための手段】
【０００６】
本発明に係るテンショナは、開口部と底部を有するテンショナカップと、底部に一端が係合し、開口部に近接した部位に他端が位置するコイルバネと、開口部を覆う蓋部を有し、蓋部からテンショナカップの外方に延びるアーム部にテンショナプーリが回転自在に取付けられ、テンショナカップに揺動自在に支持されるテンショナアームと、蓋部のコイルバネの他端に対応する位置に形成された突起と、開口部の内壁面に沿う円弧状を有し、突起に端部が当接するように設けられ、コイルバネの他端に付勢されて内壁面に押圧される一対の減衰ユニットとを備え、突起の減衰ユニットの外周面に対応した部位に、底部に向かって延びる外側壁が形成されるとともに、突起の減衰ユニットの内周面に対応した部位に、底部に向かって延びる内側壁が形成され、外側壁と内側壁の間隔が減衰ユニットの幅よりも小さいことを特徴としている。
【０００７】
外側壁の高さは内側壁の高さよりも大きいことが好ましい。また外側壁と内側壁の間隔はコイルバネの太さよりも大きいことが好ましい。
【発明の効果】
【０００８】
本発明によれば、常に減衰ユニットが正常な位置に定められている状態でテンショナを組立てることが可能になる。
【図面の簡単な説明】
【０００９】
【図１】本発明の一実施形態であるテンショナを示す断面図である。
【図２】図１のテンショナを分解して示す斜視図である。
【発明を実施するための形態】
【００１０】
以下、図示された実施形態を参照して本発明を説明する。
本実施形態のテンショナは例えば自動車用エンジンのベルトシステムに設けられる。テンショナは、図１に示されるように有底筒状を呈するテンショナカップ１１を有し、テンショナカップ１１の底部１２の中央部に形成されたボス部１３にはピボット軸１４が挿入される。テンショナカップ１１の開口部１６はテンショナアーム２１に形成された蓋部２２により覆われる。
【００１１】
テンショナアーム２１の蓋部２２にはピボット孔２３が形成され、ピボット孔２３にはピボット軸１４が圧入される。すなわちテンショナアーム２１は、ピボット軸１４を介してテンショナカップ１１に揺動自在に支持される。テンショナアーム２１は、蓋部２２からテンショナカップ１１の外方へ延びるアーム部２４を有し、アーム部２４の先端には、テンショナプーリ２５を回転自在に支持するボール軸受け２６が取り付けられる。テンショナプーリ２５とボール軸受け２６はボルト２７によってアーム部２４に固定される。
【００１２】
コイルバネ３１はテンショナアーム２１を揺動方向に付勢するために設けられ、その一端はテンショナカップ１１の底部１２に係合し、他端３１ａはテンショナカップ１１の開口部１６に近接した部位に位置する。図２に示されるように、蓋部２２のコイルバネ３１の他端３１ａに対応する位置には突起３２が形成される。開口部１６の内側には一対の減衰ユニット３３、３４が、各端部が突起３２に当接するように設けられる。
【００１３】
減衰ユニット３３、３４はそれぞれ、開口部１６の内壁面に沿う円弧状を有し、金属製の本体３５、３６の外周面に樹脂製の摩擦部材３７、３８を取付けて構成される。減衰ユニット３３、３４はコイルバネ３１の他端によって付勢され、突起３２を支点として回転変位し、これにより摩擦部材３７、３８が開口部１６の内周壁面に押圧される。テンショナは、テンショナアーム２１がコイルバネ３１に抗して捩じられた状態で、テンショナプーリ２５をベルト（図示せず）に係合させてエンジンブロック（図示せず）に取付けられ、ベルトは常時コイルバネ３１のバネ力に応じた張力を付与される。エンジンの駆動時、ベルトの張力が変動しようとすると、ベルトの振動に応じてテンショナアーム２１が揺動し、ベルトの張力の変動が抑えられる。テンショナアーム２１の揺動の振幅は、減衰ユニット３３、３４の摩擦部材３７、３８とテンショナカップ１１の内周壁面との間の摩擦抵抗によって抑えられる。
【００１４】
突起３２の構成を詳述すると、突起３２はテンショナアーム２１のピボット孔２３を囲繞する環状の隆起部２８の表面に形成され、突起３２の径方向長さは減衰ユニット３３、３４の幅に略等しい。突起３２の側面には、減衰ユニット３３、３４の端面が当接する。突起３２において、減衰ユニット３３、３４の外周面（すなわち摩擦部材３７、３８の外周面）に対応した部位には外側壁４１が形成され、また減衰ユニット３３、３４の内周面（すなわち本体３５、３６の内周面）に対応した部位には、内側壁４２が形成される。外側壁４１と内側壁４２はテンショナカップ１１の底部１２に向かって延び、外側壁４１の高さは内側壁４２の高さよりも大きい。外側壁４１と内側壁４２の間隔は減衰ユニット３３、３４の幅よりも小さく、またコイルバネ３１の太さよりも大きい。
【００１５】
次に本実施形態のテンショナの組立て作業を説明する。まずテンショナカップ１１のボス部１３にピボット軸１４を挿入し、テンショナカップ１１の中にコイルバネ３１を配置した後、減衰ユニット３３、３４の本体３５、３６がコイルバネ３１の他端３１ａに係合するようにして減衰ユニット３３、３４をコイルバネ３１の上に配置する。そして、テンショナアーム２１の突起３２の側面に減衰ユニット３３、３４が対向するようにして、テンショナアーム２１の蓋部２２をテンショナカップ１１の開口部１６に被せ、コイルバネ３１を圧縮させつつ、テンショナアーム２１のピボット孔２３にピボット軸１４を圧入する。
【００１６】
この組立て作業において、減衰ユニット３３、３４が突起３２に乗り上げようとしても、突起３２の外側壁４１と内側壁４２の間隔が減衰ユニット３３、３４の幅よりも小さいので、減衰ユニット３３、３４は外側壁４１と内側壁４２に干渉し、減衰ユニット３３、３４は突起３２に重なることはない。すなわち、突起３２が減衰ユニット３３、３４をテンショナカップ１１の底部１２側に押圧することはない。したがって、突起３２は必ず減衰ユニット３３、３４の間に位置し、またコイルバネ３１は突起３２の外側壁４１と内側壁４２の間に入り込むことになり、テンショナは、常に減衰ユニット３３、３４が正常な位置に定められた状態で組立てられる。
【符号の説明】
【００１７】
１１  テンショナカップ
１２  底部
１６  開口部
２１  テンショナアーム
２２  蓋部
３１  コイルバネ
３１ａ  他端
３２  突起
４１  外側壁
４２  内側壁
【図１】
0006421039.tif 000002
【図２】
0006421039.tif 000003